(57)【特許請求の範囲】
【請求項１】
１以上のアイコンのそれぞれを機能またはデータに関連付ける情報を記憶するための記憶手段と、
前記１以上のアイコンのうち少なくとも１つを表示装置に表示させるための表示制御手段と、
前記表示装置に表示されたアイコンの選択を受け付けるための受付手段とを備え、
前記表示制御手段は、前記受付手段がアイコンの選択を受け付けた場合に、前記選択されたアイコンに関連付けられたデータに対応する機能またはデータに、前記記憶手段において関連付けられたアイコンである関連アイコンを、前記選択されたアイコンの近傍に表示させるように、前記表示装置における表示を更新し、
機能を設定する情報を生成するための生成手段をさらに備え、
前記生成手段は、前記受付手段が所定のアイコンを特定のアイコンに重ねるように移動させる情報の入力を受け付けた場合に、前記所定のアイコンと前記特定のアイコンの機能が連携して動作するように、機能を設定する情報を生成し、
前記表示制御手段は、前記選択されたアイコンを再度選択する操作がなされた場合には、前記関連アイコンを前記選択されたアイコンから離れるように、前記表示装置における表示を更新する、情報処理装置。
【請求項２】
１以上のアイコンのそれぞれを機能またはデータに関連付ける情報を記憶するための記憶手段と、
前記１以上のアイコンのうち少なくとも１つを表示装置に表示させるための表示制御手段と、
前記表示装置に表示されたアイコンの選択を受け付けるための受付手段とを備え、
前記表示制御手段は、前記受付手段がアイコンの選択を受け付けた場合に、前記選択されたアイコンに関連付けられた機能またはデータに対応する機能またはデータに、前記記憶手段において関連付けられたアイコンである関連アイコンを、前記選択されたアイコンの近傍に表示させるように、前記表示装置における表示を更新し、
前記表示制御手段は、前記選択されたアイコンを再度選択する操作がなされた場合には、前記関連アイコンを前記選択されたアイコンから離れるように、前記表示装置における表示を更新する、情報処理装置。
【請求項３】
前記表示制御手段は、前記受付手段が、前記関連アイコンのうちの一部のアイコンの選択を受け付けた場合に、前記関連アイコンのうちの他のアイコンを前記選択されたアイコンから離れるように、前記表示装置における表示を更新する、請求項１または請求項２に記載の情報処理装置。
【請求項４】
前記記憶手段は、各アイコンの前記受付手段における選択の受付回数を記憶し、
前記表示制御手段は、前記関連アイコンのうち、前記受付回数が多いアイコンほど前記選択されたアイコンに近い位置に表示させる、請求項１〜請求項３のいずれかに記載の情報処理装置。
【請求項５】
前記記憶手段は、各アイコンの前記受付手段における選択の履歴を記憶し、
前記表示制御手段は、前記関連アイコンのうち、前記履歴の新しいアイコンほど前記選択されたアイコンに近い位置に表示させる、請求項１〜請求項３のいずれかに記載の情報処理装置。
【請求項６】
前記アイコンは、データ送信の宛先を特定する情報またはデータの保存場所を特定する情報にリンクされているアイコンを含む、請求項１〜請求項５のいずれかに記載の情報処理装置。
【請求項７】
１以上のアイコンのそれぞれを機能またはデータに関連付ける情報を記憶するための記憶手段を備えた情報処理装置の制御方法であって、
前記１以上のアイコンのうち少なくとも１つを表示装置に表示させるステップと、
前記表示装置に表示されたアイコンの選択を受け付けるステップと、
アイコンの選択を受け付けた場合に、前記選択されたアイコンに関連付けられた機能またはデータに対応するデータに、前記記憶手段において関連付けられたアイコンである関連アイコンを、前記選択されたアイコンの近傍に表示させるように、前記表示装置における表示を更新するステップとを備え、
前記情報処理装置は、所定のアイコンを特定のアイコンに重ねるように移動させる情報の入力を受け付けた場合に、前記所定のアイコンと前記特定のアイコンの機能が連携して動作するように、機能を設定する情報を生成し、
前記表示を更新するステップは、前記選択されたアイコンを再度選択する操作がなされた場合には、前記関連アイコンを前記選択されたアイコンから離れるように、前記表示装置における表示を更新することを含む、情報処理装置の制御方法。
【請求項８】
１以上のアイコンのそれぞれを機能またはデータに関連付ける情報を記憶するための記憶手段を備えた情報処理装置を制御するためのプログラムであって、
前記情報処理装置に、
前記１以上のアイコンのうち少なくとも１つを表示装置に表示させるステップと、
前記表示装置に表示されたアイコンの選択を受け付けるステップと、
アイコンの選択を受け付けた場合に、前記選択されたアイコンに関連付けられた機能またはデータに対応するデータに、前記記憶手段において関連付けられたアイコンである関連アイコンを、前記選択されたアイコンの近傍に表示させるように、前記表示装置における表示を更新するステップとを実行させ、
前記情報処理装置は、前記プログラムを実行することにより、所定のアイコンを特定のアイコンに重ねるように移動させる情報の入力を受け付けた場合に、前記所定のアイコンと前記特定のアイコンの機能が連携して動作するように、機能を設定する情報を生成し、
前記表示を更新するステップは、前記選択されたアイコンを再度選択する操作がなされた場合には、前記関連アイコンを前記選択されたアイコンから離れるように、前記表示装置における表示を更新することを含む、表示制御プログラム。
【請求項９】
１以上のアイコンのそれぞれを機能またはデータに関連付ける情報を記憶するための記憶手段を備えた情報処理装置の制御方法であって、
前記１以上のアイコンのうち少なくとも１つを表示装置に表示させるステップと、
前記表示装置に表示されたアイコンの選択を受け付けるステップと、
アイコンの選択を受け付けた場合に、前記選択されたアイコンに関連付けられた機能またはデータに対応する機能またはデータに、前記記憶手段において関連付けられたアイコンである関連アイコンを、前記選択されたアイコンの近傍に表示させるように、前記表示装置における表示を更新するステップとを備え、
前記表示を更新するステップは、前記選択されたアイコンを再度選択する操作がなされた場合には、前記関連アイコンを前記選択されたアイコンから離れるように、前記表示装置における表示を更新することを含む、情報処理装置の制御方法。
【請求項１０】
１以上のアイコンのそれぞれを機能またはデータに関連付ける情報を記憶するための記憶手段を備えた情報処理装置を制御するためのプログラムであって、
前記情報処理装置に、
前記１以上のアイコンのうち少なくとも１つを表示装置に表示させるステップと、
前記表示装置に表示されたアイコンの選択を受け付けるステップと、
アイコンの選択を受け付けた場合に、前記選択されたアイコンに関連付けられた機能またはデータに対応する機能またはデータに、前記記憶手段において関連付けられたアイコンである関連アイコンを、前記選択されたアイコンの近傍に表示させるように、前記表示装置における表示を更新するステップとを実行させ、
前記表示を更新するステップは、前記選択されたアイコンを再度選択する操作がなされた場合には、前記関連アイコンを前記選択されたアイコンから離れるように、前記表示装置における表示を更新することを含む、表示制御プログラム。
【発明の詳細な説明】
【技術分野】
【０００１】
本発明は、情報処理装置における表示態様の制御に関する。
【背景技術】
【０００２】
近年、種々の携帯可能な小型のタッチデバイスの登場により、タッチパネル上で各種のアイコンを直感的な操作で扱うことが一般的となっている。そして、このような流れを受けて、一般消費者は、携帯可能な小型のデバイスに限らず、種々の機器に対しても同様の操作性を求めるようになっている。
【０００３】
このような操作に関し、パーソナルコンピューターについて、たとえば特許文献１（特開２００９−２０５５９７号公報）には、使用者からの操作入力に応じた操作信号に基づいて、当該操作信号によって指定される領域中の目的位置へ、動的にアイコンを移動させる技術が開示されている。
【０００４】
また、特許文献２（特開２００８−２０４１８６号公報）には、マウスやキーボードを備えるコンピューターにおいて、複数のアイコンの間で主従関係を設定し、主となるアイコンの移動に伴って従となるアイコンを移動させる技術が開示されている。
【０００５】
また、特許文献３（特開２００１−１９５４１５号公報）には、パーソナルコンピューターなどで実現される情報検索装置において、画面上に表示される表示される画像に関し、当該画像の特徴量を表すアイコンを生成し、アイコンによって示される特徴量についての各画像の類似度に応じて各画像の表示位置を決定する技術が開示されている。
【先行技術文献】
【特許文献】
【０００６】
【特許文献１】特開２００９−２０５５９７号公報
【特許文献２】特開２００８−２０４１８６号公報
【特許文献３】特開２００１−１９５４１５号公報
【発明の概要】
【発明が解決しようとする課題】
【０００７】
上記のように、近年の情報処理装置では、多くのアイコンが表示されるようになってきている。そして、特許文献１および特許文献２に記載の技術は、アイコンの移動に関するものであり、また、特許文献３に記載の技術は、画面上に表示される画像の特徴量をアイコンにより表示するとともに画像同士の表示位置を画像の類似度に応じて決定するものである。
【０００８】
ここで、情報処理装置において表示されるアイコンの本来の目的は、ユーザーが当該アイコンを操作することにより、当該アイコンにアサインされた処理のための複雑な操作をすることを免れるようにすることであると考えられる。したがって、アイコンの表示に関し、その移動や他の画像の説明として利用される点も重要であるとは考えられるが、アイコン自体の表示位置をユーザーの利便性を考慮して決定することについても重要であると考えられる。しかし、従来、このような点について特に検討は見られなかった。
【０００９】
本発明は、かかる実情に鑑み考え出されたものであり、その目的は、アイコンの表示位置をユーザーの利便性に基づいて決定することにより、情報処理装置の利便性を向上させることである。
【課題を解決するための手段】
【００１０】
本発明に従った情報処理装置は、１以上のアイコンのそれぞれを機能またはデータに関連付ける情報を記憶するための記憶手段と、１以上のアイコンのうち少なくとも１つを表示装置に表示させるための表示制御手段と、表示装置に表示されたアイコンの選択を受け付けるための受付手段とを備え、表示制御手段は、受付手段がアイコンの選択を受け付けた場合に、選択されたアイコンに関連付けられたデータに対応する機能またはデータに、記憶手段において関連付けられたアイコンである関連アイコンを、選択されたアイコンの近傍に表示させるように、表示装置における表示を更新する。
【００１１】
情報処理装置は、機能を設定する情報を生成するための生成手段をさらに備え、生成手段は、受付手段が所定のアイコンを特定のアイコンに重ねるように移動させる情報の入力を受け付けた場合に、所定のアイコンと特定のアイコンの機能が連携して動作するように、機能を設定する情報を生成する。
【００１２】
本発明の他の局面に従った情報処理装置は、１以上のアイコンのそれぞれを機能またはデータに関連付ける情報を記憶するための記憶手段と、１以上のアイコンのうち少なくとも１つを表示装置に表示させるための表示制御手段と、表示装置に表示されたアイコンの選択を受け付けるための受付手段とを備え、表示制御手段は、受付手段がアイコンの選択を受け付けた場合に、選択されたアイコンに関連付けられた機能またはデータに対応する機能またはデータに、記憶手段において関連付けられたアイコンである関連アイコンを、選択されたアイコンの近傍に表示させるように、表示装置における表示を更新し、表示制御手段は、選択されたアイコンを再度選択する操作がなされた場合には、関連アイコンを選択されたアイコンから離れるように、表示装置における表示を更新する。
【００１３】
好ましくは、表示制御手段は、受付手段が、関連アイコンのうちの一部のアイコンの選択を受け付けた場合に、関連アイコンのうちの他のアイコンを選択されたアイコンから離れるように、表示装置における表示を更新する。
【００１４】
好ましくは、記憶手段は、各アイコンの受付手段における選択の受付回数を記憶し、表示制御手段は、関連アイコンのうち、受付回数が多いアイコンほど選択されたアイコンに近い位置に表示させる。
【００１５】
好ましくは、記憶手段は、各アイコンの受付手段における選択の履歴を記憶し、表示制御手段は、関連アイコンのうち、履歴の新しいアイコンほど選択されたアイコンに近い位置に表示させる。
【００１６】
好ましくは、アイコンは、データ送信の宛先を特定する情報またはデータの保存場所を特定する情報にリンクされているアイコンを含む。
【００１７】
本発明に従った情報処理装置の制御方法は、１以上のアイコンのそれぞれを機能またはデータに関連付ける情報を記憶するための記憶手段を備えた情報処理装置の制御方法であって、１以上のアイコンのうち少なくとも１つを表示装置に表示させるステップと、表示装置に表示されたアイコンの選択を受け付けるステップと、アイコンの選択を受け付けた場合に、選択されたアイコンに関連付けられた機能またはデータに対応するデータに、記憶手段において関連付けられたアイコンである関連アイコンを、選択されたアイコンの近傍に表示させるように、表示装置における表示を更新するステップとを備える。情報処理装置は、所定のアイコンを特定のアイコンに重ねるように移動させる情報の入力を受け付けた場合に、所定のアイコンと前記特定のアイコンの機能が連携して動作するように、機能を設定する情報を生成する。表示を更新するステップは、選択されたアイコンを再度選択する操作がなされた場合には、関連アイコンを前記選択されたアイコンから離れるように、前記表示装置における表示を更新することを含む。
【００１８】
本発明に従った制御プログラムは、１以上のアイコンのそれぞれを機能またはデータに関連付ける情報を記憶するための記憶手段を備えた情報処理装置を制御するためのプログラムであって、情報処理装置に、１以上のアイコンのうち少なくとも１つを表示装置に表示させるステップと、表示装置に表示されたアイコンの選択を受け付けるステップと、アイコンの選択を受け付けた場合に、選択されたアイコンに関連付けられた機能またはデータに対応するデータに、記憶手段において関連付けられたアイコンである関連アイコンを、選択されたアイコンの近傍に表示させるように、表示装置における表示を更新するステップとを実行させる。情報処理装置は、プログラムを実行することにより、所定のアイコンを特定のアイコンに重ねるように移動させる情報の入力を受け付けた場合に、所定のアイコンと特定のアイコンの機能が連携して動作するように、機能を設定する情報を生成し、表示を更新するステップは、選択されたアイコンを再度選択する操作がなされた場合には、関連アイコンを選択されたアイコンから離れるように、表示装置における表示を更新することを含む。
この発明の他の局面に従った情報処理装置の制御方法は、１以上のアイコンのそれぞれを機能またはデータに関連付ける情報を記憶するための記憶手段を備えた情報処理装置の制御方法であって、１以上のアイコンのうち少なくとも１つを表示装置に表示させるステップと、表示装置に表示されたアイコンの選択を受け付けるステップと、アイコンの選択を受け付けた場合に、選択されたアイコンに関連付けられた機能またはデータに対応する機能またはデータに、記憶手段において関連付けられたアイコンである関連アイコンを、選択されたアイコンの近傍に表示させるように、表示装置における表示を更新するステップとを備え、表示を更新するステップは、選択されたアイコンを再度選択する操作がなされた場合には、関連アイコンを選択されたアイコンから離れるように、表示装置における表示を更新することを含む。
本発明の他の局面に従った制御プログラムは、１以上のアイコンのそれぞれを機能またはデータに関連付ける情報を記憶するための記憶手段を備えた情報処理装置を制御するためのプログラムであって、情報処理装置に、１以上のアイコンのうち少なくとも１つを表示装置に表示させるステップと、表示装置に表示されたアイコンの選択を受け付けるステップと、アイコンの選択を受け付けた場合に、選択されたアイコンに関連付けられた機能またはデータに対応する機能またはデータに、記憶手段において関連付けられたアイコンである関連アイコンを、選択されたアイコンの近傍に表示させるように、表示装置における表示を更新するステップとを実行させ、表示を更新するステップは、選択されたアイコンを再度選択する操作がなされた場合には、関連アイコンを選択されたアイコンから離れるように、表示装置における表示を更新することを含む。
【発明の効果】
【００１９】
本発明によれば、表示装置に表示されたアイコンが選択されると、当該選択されたアイコンに関連付けられた機能またはデータに対応する機能またはデータに、記憶手段において関連付けられたアイコンである関連アイコンが、選択されたアイコンの近傍に表示させるように、表示が更新される。
【００２０】
これにより、ユーザーがアイコンを選択すると、表示装置の表示態様が、上記した関連アイコンを選択しやすい状態に切り替わる。したがって、ユーザーに対して、上記した関連アイコンを続けて選択しやすくなるという利便性を提供できる。
【図面の簡単な説明】
【００２１】
【図１】本発明の第１の実施の形態である画像処理装置を含む情報処理システムの概略構成を示す図である。
【図２】図１の画像処理装置のハードウェア構成を模式的に示す図である。
【図３】図１の画像処理装置の機能構成を模式的に示す図である。
【図４】操作パネル（表示部）の表示画面の一例を示す図である。
【図５】図４の画面においてボタンが操作されたときの画面を示す図である。
【図６】図５の画面においてアイコンがタッチ操作された際の表示画面を示す図である。
【図７】図６の画面において、アイコンがタッチ操作されたときの表示画面を示す図である。
【図８】図６の画面において、アイコンがタッチ操作されたときの表示画面を示す図である。
【図９】本発明の第１の実施の形態の画像処理装置においてボタンが操作されたときの画面表示の一例である。
【図１０】図９の画面においてアイコンがタッチ操作されたときの画面表示の一例である。
【図１１】図９の画面においてアイコンがタッチ操作されたときの画面表示の一例である。
【図１２】図１１のアイコンに対する操作内容を説明するための図である。
【図１３】図１１の画面が更新される様子を説明するための図である。
【図１４】図１１の画面が更新される様子を説明するための図である。
【図１５】本発明の第３の実施の形態において表示される画面を示す図である。
【図１６】本発明の第３の実施の形態において表示される画面を示す図である。
【図１７】本発明の第３の実施の形態において表示される画面を示す図である。
【図１８】本発明の第４の実施の形態を説明するための図である。
【図１９】本発明の第４の実施の形態を説明するための図である。
【図２０】画像処理装置におけるファックス送信の送信先設定画面である。
【図２１】図２０の更新後の画面を示す図である。
【図２２】画像処理装置における、ボックスを選択するための画面である。
【図２３】図２２の更新後の画面を示す図である。
【発明を実施するための形態】
【００２２】
以下、本発明について、図面を参照して説明する。なお、以下の説明において、同一の機能および作用を有する要素については、同じ符号を付し、重複する説明を繰返さない。
【００２３】
［第１の実施の形態］
＜システムの概略構成＞
図１は、本発明の一実施の形態である画像処理装置を含む情報処理システムの概略構成を示す図である。
【００２４】
情報処理システムでは、画像処理装置１とアプリケーションダウンロード用サーバー（以下、単に「サーバー」という）２とが、ネットワークを介して接続されている。画像処理装置１は、サーバー２からアプリケーションをダウンロードする。この場合、ダウンロードしたアプリケーションを起動させるためのアイコンをダウンロードするとともに、当該アイコンに関連付けて、対応するアプリケーションの機能に関する情報をダウンロードし、後述する管理テーブルとして格納する。
【００２５】
＜画像処理装置のハードウェア構成＞
図２は、画像処理装置１のハードウェア構成を模式的に示す図である。
【００２６】
図２を参照して、画像処理装置１は、たとえば汎用のコンピュータによって実現され、当該画像処理装置１の動作を全体的に制御するＣＰＵ（Central  Processing  Unit）１０、ＣＰＵ１０のワークエリアとして機能するＲＡＭ（Random  Access  Memory）等のメモリー１２、画像処理装置１に対して情報を入力するためのキーボードなどの操作部およびモニターなどの表示部を構成する操作パネル２４、他の装置との通信を行なうネットワークインターフェース（Ｉ／Ｆ）１４、プログラムやファイルを記憶するハードディスクを備えるハードディスク装置（ＨＤＤ）１６、原稿の画像データを生成するスキャナー２０、スキャナー２０において原稿を搬送する原稿搬送機構１８、カメラ２６、および、記録用紙等の上に画像データに基づいた画像を形成するプリントエンジン２２を含む。
【００２７】
ＣＰＵ１０は、操作パネル２４に対する操作によって情報の入力を受付け、また、操作パネル２４に当該画像処理装置１において処理されている情報等を表示させる。
【００２８】
ＣＰＵ１０が実行するプログラムは、ＨＤＤ１６のハードディスクに記憶されていてもよいし、ＣＰＵ１０がアクセスでき、画像処理装置１に対して着脱可能な記憶媒体に記憶されていてもよいし、または、ＣＰＵ１０がネットワークＩ／Ｆ１４を介してアクセスする外部の記憶装置に記憶されているものであってもよい。
【００２９】
上記の記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリーカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリーカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００３０】
また、ＨＤＤ１６のハードディスクには、上記記憶媒体に記憶されたファイルや、ネットワークＩ／Ｆ１４を介してアクセス可能となる外部の記憶装置に記憶されたファイルが当該ハードディスクに記憶（インストール）され、これがＣＰＵ１０によって実行されてもよい。
【００３１】
＜画像処理装置の機能構成＞
図３は、図１の画像処理装置１の機能構成を模式的に示す図である。なお、図３には、画像処理装置１の機能の一部であって、本実施の形態において説明される機能に関連を有する部分が記載されている。
【００３２】
図３を参照して、画像処理装置１は、システム制御部５０と、記憶装置５１と、アイコン管理テーブル５２と、システムＩ／Ｆ５３と、表示部５４と、ネットワークＩ／Ｆ５５とを含む。
【００３３】
システム制御部５０は、プリントエンジン２２やスキャナー２０、原稿搬送機構１８を用いた画像形成動作を制御し、たとえば、ＣＰＵ１０が適切なプログラムを実行することにより実現される。
【００３４】
システムＩ／Ｆ５３は、図３中の要素間のデータの流れを制御し、たとえば、ＣＰＵ１０が適切なプログラムを実行することにより実現される。
【００３５】
表示部５４は、システム制御部５０等の指示に基づいて情報を表示し、たとえば、操作パネル２４を構成する表示装置により実現される。
【００３６】
記憶装置５１は、種々のプログラムやデータを記憶し、たとえばＨＤＤ１６により実現される。
【００３７】
アイコン管理テーブルは、後述する第１アイコン管理テーブルおよび第２アイコン管理テーブルとして、アイコンごとに、機能に関する情報を記憶するものであり、たとえば、ＨＤＤ１６に格納され、ＣＰＵ１０により適宜更新される。
【００３８】
ネットワークＩ／Ｆ５５は、画像処理装置１と外部の装置との間の情報の送受信を制御し、たとえばネットワークＩ／Ｆ１４により実現される。
【００３９】
本実施の形態では、画像処理装置１は外部の装置（サーバー２）からアプリケーションをダウンロードする。アプリケーションのプログラム等のデータは、ネットワークＩ／Ｆ５５を介して画像処理装置１に入力され、システムＩ／Ｆ５３により、記憶装置５１等に格納される。
【００４０】
＜第１アイコン管理テーブル＞
画像処理装置１では、表示部５４に、アプリケーションを実行させるためのアイコンや印刷モードなどの設定情報を登録するためのアイコン等の、種々のアイコンが表示される。そして、各アイコンの機能に関する情報が、テーブル形式で記憶されている。
【００４１】
表１に、第１の種類のアイコンについての管理テーブル（第１アイコン管理テーブル）に登録されている情報の一例を示す。
【００４２】
【表１】
0005853450.tif 000002
【００４３】
表１を参照して、第１アイコン管理テーブルは、各アイコンについて、ＩＤと、当該アイコンに関連付けられた機能の名称（機能名称）と、設定機能と、関連機能とを含む。設定機能とは、当該アイコンに対応する機能が利用する機能である。関連機能とは、当該アイコンに対応する機能またはデータを利用する機能である。
【００４４】
表１には、ＩＤが１５１〜１５７を付された７つのアイコンの情報が示されている。
ＩＤが１５１のアイコンは、濃度を設定するためのデータに関連付けられたアイコンである。設定機能は有さず、関連機能として「印刷設定（１）」が登録されている。
【００４５】
ＩＤが１５２のアイコンは、印刷に際しての画像処理の設定（ネガポジ反転設定）に関するデータを設定するためのデータに関連付けられたアイコンである。設定機能は有さず、関連機能として「印刷設定（２）」が登録されている。
【００４６】
ＩＤが１５３のアイコンは、印刷に際しての画像処理の設定（カラー設定）に関するデータを設定するためのデータに関連付けられたアイコンである。設定機能は有さず、関連機能として「印刷設定（１）」が登録されている。
【００４７】
ＩＤが１５４のアイコンは、画像形成された用紙の後処理の設定（ステープル設定）に関するデータに関連付けられたアイコンである。設定機能は有さず、関連機能として「印刷設定（２）」が登録されている。
【００４８】
ＩＤが１５５のアイコンは、画像のサイズを設定するためのデータに関連付けられたアイコンである。設定機能は有さず、関連機能として「サイズ設定」が登録されている。
【００４９】
ＩＤが１５６のアイコンは、表示の際の画面のサイズ等を設定するためのデータに関連付けられたアイコンである。設定機能は有さず、関連機能として「画面設定」が登録されている。
【００５０】
ＩＤが１５７のアイコンは、メールやファイルの生成に際しての件名を設定するためのデータに関連付けられたアイコンである。設定機能は有さず、関連機能として「件名設定」が登録されている。
【００５１】
第１アイコン管理テーブルには、主に、設定用のデータに対応するアイコンの情報が登録される。つまり、本実施の形態では、第１の種類のアイコンは、主に、設定用のデータに対応するアイコンを含む。
【００５２】
表２に、第２の種類のアイコンについての管理テーブル（第２アイコン管理テーブル）に登録されている情報の一例を示す。
【００５３】
【表２】
0005853450.tif 000003
【００５４】
表２を参照して、第２アイコン管理テーブルは、第１アイコン管理テーブルと同様に、各アイコンについて、ＩＤと、当該アイコンに関連付けられた機能の名称（機能名称）と、設定機能と、関連機能とを含む。設定機能とは、当該アイコンに対応する機能が利用する機能である。
【００５５】
ＩＤが２０１のアイコンは、カレンダーを閲覧するためのアプリケーションに関連付けられたアイコンである。設定機能として「文字入力設定」が登録され、関連機能は有さない。
【００５６】
ＩＤが２０２のアイコンは、天気予報を閲覧するためのアプリケーションに関連付けられたアイコンである。設定機能として「印刷設定（１）」が登録され、関連機能は有さない。
【００５７】
ＩＤが２０３のアイコンは、ネットワーク上の第１のサイトを閲覧するためのアプリケーションに関連付けられたアイコンである。設定機能として「画面設定」が登録され、関連機能は有さない。
【００５８】
ＩＤが２０４のアイコンは、ネットワーク上のコンテンツを販売する第２のサイトにアクセスするためのアプリケーションに関連付けられたアイコンである。設定機能および関連機能のいずれも登録されていない。
【００５９】
ＩＤが２０５のアイコンは、画像処理装置１の機能を設定するためのアプリケーションに関連付けられたアイコンである。設定機能および関連機能のいずれも登録されていない。
【００６０】
ＩＤが２０６のアイコンは、天気予報を閲覧するためのアプリケーションに関連付けられたアイコンである。設定機能として「印刷設定（１）」が登録され、関連機能として「撮影機能」が登録されている。
【００６１】
ＩＤが２０７のアイコンは、地図を閲覧するためのアプリケーションに関連付けられたアイコンである。設定機能として「印刷設定（１）」「印刷設定（２）」が登録され、関連機能は有さない。
【００６２】
ＩＤが２０８のアイコンは、住所録のアプリケーションに関連付けられたアイコンである。設定機能として「サイト閲覧（２）」「メール」「通話機能」「件名設定」「ファイル閲覧機能」「サイズ設定」が登録され、関連機能としては「住所録機能」が登録されている。
【００６３】
ＩＤが２０９のアイコンは、ネットワーク上の第２のサイトを閲覧するためのアプリケーションに関連付けられたアイコンである。設定機能として「画面設定」が登録され、関連機能として「サイト閲覧（２）」が登録されている。
【００６４】
ＩＤが２１０のアイコンは、メーラーに関連付けられたアイコンである。設定機能として「住所録機能」「撮影機能」「印刷設定（２）」が登録され、関連機能として「メール」が登録されている。
【００６５】
ＩＤが２１１のアイコンは通話のアプリケーションに関連付けられたアイコンである。設定機能として「住所録機能」が登録され、関連機能として「通話機能」が登録されている。
【００６６】
ＩＤが２１２のアイコンは、ＰＤＦ（Portable  Document  Format）ファイルを閲覧するためのアプリケーションに関連付けられたアイコンである。設定機能は有さず、関連機能として「ファイル閲覧機能」が登録されている。
【００６７】
上記した機能の登録内容（設定機能および／または関連機能）は、ユーザーが手動で入力しても良いし、ＣＰＵ１０が各アプリケーションの公開された属性を編集して作成しても良いし、各アプリケーションを提供するメーカーが作成したものをそのままダウンロードされても良い。
【００６８】
＜表示制御処理＞
図４は、操作パネル２４（表示部５４）の表示画面の一例を示す図である。
【００６９】
図４の画面１００Ａには、画像処理装置１における画像形成動作および当該動作に関連する動作（用紙の後処理等）の設定のためのアイコン１２１〜１２７を含む、種々の情報が表示されている。
【００７０】
また、画面１００Ａには、画像処理装置１にインストールされているアプリケーションのアイコンを表示させるためのボタン１０１が表示されている。図５は、図４の画面においてボタン１０１が操作されたときの画面を示す図である。
【００７１】
図５を参照して、図５の画面１００Ｂでは、画面１００Ａに、さらにアイコン２０１〜２１０が表示されている。アイコン２０１〜２１０は、第２アイコン管理テーブルに登録されたアイコンのうち、予め選択されたアイコンである。当該選択情報は、たとえば、ＨＤＤ１６に格納され、操作パネル２４を介して設定／更新が可能に構成されている。
【００７２】
画面１００Ｂにおいて、アイコン２０１〜２１０のいずれかがタッチ操作されると、画面表示は、タッチ操作されたアイコンに関連する機能やデータに対応したアイコンが当該アイコン２０７に近づくように更新される。図６は、図５の画面１００Ｂにおいてアイコン２０７がタッチ操作された際の表示画面を示す図である。
【００７３】
図６の画面１００Ｃでは、図４の画面１００Ａでボタン１０１が操作されることによって表示されたアイコン２０１〜２１０のうち、タッチ操作されたアイコン２０７以外のアイコンの表示が消去され、それに代わって、アイコン１５１〜１５４が表示されている。
【００７４】
アイコン１５１〜１５４は、それぞれ第１アイコン管理テーブルのＩＤ１５１〜１５４のアイコンである。これらのアイコンの関連機能は、アイコン２０７の設定機能（表２の第２アイコン管理テーブルのＩＤ２０７の設定機能）である印刷設定（１）または印刷設定（２）である。ＣＰＵ１０は、画面１００Ｂにアイコン２０１〜２１０を表示させた後、これらのアイコンのうち、タッチ操作の対象となったアイコンを特定する。そして、特定されたアイコンについて、第１アイコン管理テーブルおよび第２アイコン管理テーブルから、当該特定されたアイコンの設定機能として登録されている機能を抽出する。次に、第１アイコン管理テーブルおよび第２アイコン管理テーブルから、抽出した機能を関連機能として有するアイコンを抽出する。そして、ＣＰＵ１０は、図６の画面１００Ｃに示すように、アイコン２０１〜２１０のうち、選択された以外のアイコンの表示を消去し、さらに、抽出したアイコンを画面に表示させる。
【００７５】
なお、図６において、矢印Ａ１〜Ａ４は、アイコン１５１〜１５４のそれぞれが図６に示された表示位置に移動するまでの軌跡を示す。ＣＰＵ１０が、このような軌跡に沿って移動させながらアイコン１５１〜１５４を表示させることにより、ユーザーは、アイコン２０７に関連する機能またはデータに対応するアイコン１５１〜１５４が、アイコン２０７に引き寄せられるようにして画面に表示されるようになったような印象を受ける。
【００７６】
図６の画面１００Ｃにおいて、ユーザーは、アイコン２０７およびアイコン１５１〜１５４に対して操作することにより、各アイコンが対応する機能の設定を行なうことができる。図７は、図６の画面１００Ｃにおいて、アイコン１５１がタッチ操作されたときの表示画面を示す図である。
【００７７】
図７の画面１００Ｄでは、アイコン１５１の近傍に、アイコン１５１に対応した機能、つまり、印刷濃度を設定するためのウィンドウ１５１Ａが表示されている。
【００７８】
ＣＰＵ１０は、ウィンドウ１５１Ａを表示させた後、さらに、当該ウィンドウ１５１Ａに対する設定内容の入力を受け付ける。設定内容の入力受け付けが完了すると、ＣＰＵ１０は、図８の画面１００Ｅに示すように、ウィンドウ１５１Ａの表示を終了させる。その後、表示部５４においてアイコン１５１をアイコン２０７にドラッグする操作がなされると、アイコン２０７の機能のデフォルト設定として、アイコン１５１に対して設定されているデータに対応した設定内容を登録する。具体的には、ＣＰＵ１０は、アイコン１５１がアイコン２０７にドラッグされることにより、図７に示されたウィンドウ１５１Ａに対してなされた印刷濃度設定の内容を、アイコン２０７が対応する地図閲覧アプリケーションの印刷設定として登録する。
【００７９】
［第２の実施の形態］
第１の実施の形態では、アイコンをタッチすることにより当該アイコンを選択すると、当該アイコンの機能またはデータに関連する機能またはデータに関連付けられたアイコンが、最初にタッチされたアイコンの近傍に位置するように、画面表示が更新される。
【００８０】
本実施の形態では、そのような画面表示の更新によって最初にタッチされたアイコンの近傍に集められた第２のアイコンに対して、タッチ操作がなされると、当該第２のアイコンの機能またはデータに関連する機能またはデータに関連付けられた第３のアイコンが、上記第２のアイコンの近傍に位置するように、さらに画面表示が更新される。なお、第３のアイコンには、最初にタッチされたアイコンが含まれる場合もある。
【００８１】
以下、図面を参照して説明する。
図９は、本実施の形態の画像処理装置１においてボタン１０１（図４参照）が操作されたときの画面表示の一例である。図９の画面１００Ｆには、図４の画面１００Ｂと同様に、アイコン２０１〜２１０が表示されている。あの、画面１００Ｆでは、アイコン２０１〜２１０は、画面１００Ｂでの表示に対して一部の配列が変更されて表示されている。
【００８２】
図１０は、図９の画面１００Ｆにおいてアイコン２１０がタッチ操作されたときの画面表示の一例である。図１０の画面１００Ｇでは、アイコン２１０の近傍に、アイコン２０６，１５２，２０８，１５４が表示されている。矢印Ａ６，Ａ７，Ａ８，Ａ９は、アイコン２０６，１５２，２０８，１５４のそれぞれの移動表示される軌跡を示す。
【００８３】
なお、タッチ操作されたアイコン２１０は、第２アイコン管理テーブル（表２）のＩＤ２１０に対応するアイコンである。ＩＤ２１０のアイコンの設定機能は、「住所録機能」「撮影機能」「印刷設定（２）」である。そして、第１アイコン管理テーブル（表１）および第２アイコン管理テーブルを参照すると、アイコン２０６の関連機能は「撮影機能」であり、アイコン１５２の関連機能は「印刷設定（２）」であり、アイコン２０８の関連機能は「住所録機能」であり、アイコン１５４の関連機能は「印刷設定（２）」である。つまり、画面１００Ｇでは、タッチ操作されたアイコン２１０の設定機能を関連機能として備えるアイコンが、アイコン２１０の近傍に表示されている。以下の説明では、このようにアイコン２１０の近傍に集められたアイコン２０６，１５２，２０８，１５４を、まとめて「第２のアイコン」という。
【００８４】
次に、第２のアイコンに対して２種類の操作がなされた場合のそれぞれについて、画面の表示例を説明する。
【００８５】
図１１は、図１０を、矢印Ａ６〜Ａ９を削除されて標記された図である。図１１の画面１００Ｈに対して、第２のアイコンの１つであるアイコン２０８が、ドラッグされてアイコン２１０上にドロップされた場合について説明する。図１２は、図１１のアイコン２０８に対するこのような操作内容を説明するための図である。図１２において、矢印Ａ１０は、アイコン２０８がこの操作によって移動表示される軌跡を示す。
【００８６】
アイコン２０８がドラッグされてアイコン２１０上にドロップされると、アイコン２０８が対応する機能（アプリケーション）またはデータにおける設定内容が、アイコン２１０に対応する機能またはデータの内容に反映される。アイコン２０８は、第２アイコン管理テーブルに示されたように、住所録アプリケーションのアイコンである。また、アイコン２１０は、メーラーのアイコンである。ＣＰＵ１０は、アイコン２０８がドラッグされてアイコン２１０上にドロップされると、メーラーを起動するとともに、住所録アプリケーションにおいて登録されたメールアドレスを読み出し、メーラーにおいて新規作成する送信用メールのアドレスに読み出されたメールアドレスのすべてを登録する。
【００８７】
一方、図１１の画面１００Ｈに対して、アイコン２０８が長押し操作されると、アイコン２０８の設定機能を関連機能とするアイコンがアイコン２０８の近傍に集まるように、画面表示が更新される。図１３および図１４は、図１１の画面１００Ｈがこのように更新される様子を説明するための図である。
【００８８】
図１４の画面１００Ｍは、更新後の画面である。更新後の画面には、アイコン２０８の近傍に、アイコン２１２，１５７，２０９，２１１，１５５，２１０が表示されている。これらのアイコンは、アイコン２０８に対応するＩＤ２０８のアイコンの設定機能を、関連機能とするアイコンである。
【００８９】
これらのアイコンのうち、アイコン２１０は、図１１の画面１００Ｈでも表示されている。このことから、図１４の画面１００Ｍに切り替わるために、まず、図１１の画面１００Ｈから、アイコン２０６，１５２，１５４が消去される。図１３では、この状態が示されている。矢印Ａ１１，Ａ１２，Ａ１３は、アイコン２０６，１５４，１５２のそれぞれがアイコン２１０から離れるように移動する軌跡を示している。離れるように移動した後、アイコン２０６，１５４，１５２は、画面から消される。その後、図１４に示されるように、アイコン２１２，１５７，２０９，２１１，１５５が画面上に出現し、矢印Ａ１４，Ａ１５，Ａ１６，Ａ１７，Ａ１８に示されるような経路で移動するように表示されることにより、アイコン２０８に近づくように表示される。
【００９０】
以上説明した本実施の形態では、アプリケーションに対応するアイコン２０１〜２１１および設定用のデータに対応するアイコン１５１〜１５７が、対応する階層が異なっても、画面表示に関して同様に扱われる。
【００９１】
また、これらのアイコンが操作されることにより、ドラッグとドロップの操作により、操作されたアイコンが対応する設定内容が、他のアイコンが対応するアプリケーションの設定内容として反映される。つまり、所定のアイコン（アイコン２０８）を特定のアイコン（アイコン２１０）に重ねるように移動する操作がなされると、当該所定のアイコンと当該特定のアイコンの機能が連携して動作するように、機能を生成する情報が生成される（アイコン２１０のメーラーが起動し、アイコン２０８の住所録アプリケーションに登録されたメールアドレスを宛先に設定された送信メールが生成される）。
【００９２】
［第３の実施の形態］
図１５〜図１７は、本実施の形態において表示される画面を示す。
【００９３】
図１５の画面１００Ｎは、図６の画面１００Ｃと同様に、アイコン２０７がタッチ操作されたことによってアイコン２０７の近傍にアイコン１５１〜１５４が表示されるように図５の画面１００Ｂから更新された画面である。本実施の形態では、このような更新の後、上記のようにタッチ操作されたアイコンが他の態様で操作されると、画面表示は画面１００Ｂに戻される。
【００９４】
つまり、アイコン２０７に対して、タッチ操作とは異なる操作、たとえば長押し操作がなされると、アイコン１５１〜１５４は、それぞれ、図１６の矢印Ａ１９〜Ａ２２に示されるようにアイコン２０７から離れるように移動した後、画面から消える。
【００９５】
その後、図５の画面１００Ｂに戻るために、一時的に画面から消えていたアイコン２０１〜２０６，２０８〜２１０が、画面に出現し、矢印Ａ２３〜Ａ３１に移動しながら、画面１００Ｂにおける配置に戻る。
【００９６】
以上説明した本実施の形態では、画面上のアイコンに対して第１の種類の操作を行なうことにより、操作されたアイコンに関連する機能等に対応するアイコンを表示されるように画面が更新されるが、最初に操作されたアイコンに対して第２の種類の操作がなされると、画面表示は元に戻される。
【００９７】
［第４の実施の形態］
ＣＰＵ１０は、各アイコンがタッチ操作された回数をカウントし、たとえば第１アイコン管理テーブル（表１）や第２アイコン管理テーブル（表２）に、各アイコンについてのカウント値を登録していても良い。
【００９８】
そして、ＣＰＵ１０は、本実施の形態では、以上説明した各実施の形態において、操作されたアイコンに関連するアイコンを操作されたアイコンの近傍に表示する際、操作されたアイコンとそれに関連するアイコンとの距離を、上記カウント値に応じて決定しても良い。具体的には、たとえば、アイコンのカウント値が大きいものほど、操作されたアイコンとの距離が近くなるように、上記した「関連するアイコン」が配置される。
【００９９】
図１８の画面１００Ｒには、アイコン２０８に関連するアイコンとしアイコン２１２，１５７，２０９，２１１，１５５，２１０が表示されている。図中の両矢印は、各アイコンのアイコン２０８との距離を示している。そして、これらの距離は、アイコン２１２，１５７，２０９，２１１，１５５，２１０がこれまで操作された回数（上記カウント値）が多いほど短くなっている。
【０１００】
これにより、使用頻度（操作される頻度）の高いアイコンを、操作されたアイコン（図１８のアイコン２０８）のより近くに、つまり、ユーザーの目のつきやすい位置に表示し、ユーザーが選択しやすくしている。
【０１０１】
［第５の実施の形態］
ＣＰＵ１０は、各アイコンがタッチ操作された履歴（操作時刻等）を、たとえば第１アイコン管理テーブル（表１）や第２アイコン管理テーブル（表２）に、各アイコンについてのカウント値を登録していても良い。
【０１０２】
そして、ＣＰＵ１０は、本実施の形態では、以上説明した各実施の形態において、操作されたアイコンに関連するアイコンを操作されたアイコンの近傍に表示する際、操作されたアイコンとそれに関連するアイコンとの距離を、操作履歴が新しさに応じて決定しても良い。具体的には、たとえば、アイコンの操作履歴が新しい（各アイコンの最新の操作履歴の時刻が現在に近い）ものほど、操作されたアイコンとの距離が近くなるように、上記した「関連するアイコン」が配置される。
【０１０３】
図１９の画面１００Ｓには、アイコン２０８に関連するアイコンとしアイコン２１２，１５７，２０９，２１１，１５５，２１０が表示されている。図中の両矢印は、各アイコンのアイコン２０８との距離を示している。そして、これらの距離は、アイコン２１２，１５７，２０９，２１１，１５５，２１０が操作履歴が新しいものほど短くなっている。
【０１０４】
これにより、操作履歴が新しいアイコンを、操作されたアイコン（図１９のアイコン２０８）のより近くに、つまり、ユーザーの目のつきやすい位置に表示し、ユーザーが選択しやすくしている。
【０１０５】
［第６の実施の形態］
本実施の形態では、アイコンは、ファックス送信の宛名を設定するための機能（または、データ）に関連する。
【０１０６】
図２０は、画像処理装置１におけるファックス送信の送信先設定画面である。画面１００Ｔには、各送信先に対応するアイコンが表示されている。送信先に対応するアイコンとは、特定の操作（たとえばタッチ操作）をされることにより対応する送信先をファックス送信の宛先に設定するアイコンである。図２０に表示されたアイコンのうち、１の送信先に対応するアイコン（アイコン３００）が長押し操作（上記したタッチ操作とは異なる操作）をされると、画面が、当該アイコン３００に対応する送信先と同じグループとして登録された宛先のアイコンを抜き出して表示するように更新される。図２１は、更新後の画面を示す図である。
【０１０７】
なお、送信先の登録情報の一例を表３に示す。表３の登録情報は、たとえばＨＤＤ１６に格納される。
【０１０８】
【表３】
0005853450.tif 000004
【０１０９】
図２０のアイコン３００は、表３中の送信先の１つである名称「株式会社シオニカ」に対応するアイコンである。当該登録情報では、上記送信先が登録されるグループ（グループＡ）と同じグループとして、あと４つの送信先が登録されている。
【０１１０】
図２１の画面１００Ｕでは、これらの４つの送信先のそれぞれのアイコン３０１〜３０４が、最初に長押し操作されたアイコン３００の近傍に集まるように表示される。矢印Ａ３１〜Ａ３４は、アイコン３０１〜３０４が移動して表示される軌跡である。
【０１１１】
［第７の実施の形態］
本実施の形態では、アイコンは、ファックス等によって受信したデータを保存する、ＨＤＤ１６内のボックスを特定する情報（データ）に関連する。
【０１１２】
図２２は、画像処理装置１における、ボックスを選択するための画面である。図２２の画面１００Ｘには、各ボックスに対応するアイコンが表示されている。ボックスに対応するアイコンとは、特定の操作（たとえばタッチ操作）をされることにより対応するボックスを（たとえば、ファックス受信したデータの保存先として）選択するアイコンである。図２２に表示されたアイコンのうち、１のボックスに対応するアイコン（アイコン３１０）が長押し操作（上記したタッチ操作とは異なる操作）をされると、画面が、当該アイコン３１０に対応するボックスと同じグループとして登録されたボックスのアイコンを抜き出して表示するように更新される。図２３は、更新後の画面を示す図である。
【０１１３】
なお、ボックスに関する登録情報の一例を表４に示す。表４の登録情報は、たとえばＨＤＤ１６に格納される。
【０１１４】
【表４】
0005853450.tif 000005
【０１１５】
図２２のアイコン３１０は、表４中の１つのボックスの名称「アドレス」に対応するアイコンである。当該登録情報では、上記ボックスが登録されるグループ（グループＮ）と同じグループとして、あと４つのボックスが登録されている。
【０１１６】
図２３の画面１００Ｙでは、これらの４つのボックスのそれぞれのアイコン３１１〜３１４が、最初に長押し操作されたアイコン３１０の近傍に集まるように表示される。矢印Ａ４１〜Ａ４４は、アイコン３０１〜３０４が移動して表示される軌跡である。
【０１１７】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、可能な限り、単独でも、組合わせても、実施することを意図される。
【符号の説明】
【０１１８】
１  画像処理装置、２  サーバー、１０  ＣＰＵ、１２  メモリー、１８  原稿搬送機構、２０  スキャナー、２２  プリントエンジン、２４  操作パネル、２６  カメラ、５０  システム制御部、５１  記憶装置、５２  アイコン管理テーブル、５４  表示部。
【図１】
0005853450.tif 000006
【図２】
0005853450.tif 000007
【図３】
0005853450.tif 000008
【図４】
0005853450.tif 000009
【図５】
0005853450.tif 000010
【図６】
0005853450.tif 000011
【図７】
0005853450.tif 000012
【図８】
0005853450.tif 000013
【図９】
0005853450.tif 000014
【図１０】
0005853450.tif 000015
【図１１】
0005853450.tif 000016
【図１２】
0005853450.tif 000017
【図１３】
0005853450.tif 000018
【図１４】
0005853450.tif 000019
【図１５】
0005853450.tif 000020
【図１６】
0005853450.tif 000021
【図１７】
0005853450.tif 000022
【図１８】
0005853450.tif 000023
【図１９】
0005853450.tif 000024
【図２０】
0005853450.tif 000025
【図２１】
0005853450.tif 000026
【図２２】
0005853450.tif 000027
【図２３】
0005853450.tif 000028